(57)【特許請求の範囲】
【請求項１】
プラグ受けに対し磁石の吸着力により着脱自在に保持されるプラグケースを有し、上記プラグ受けの電極が挿入される接点凹所を前端面に設けたマグネットプラグにおいて、上記プラグケースの外面に突起を設け、その突起の前面に一定傾斜角を有する傾斜面を形成し、上記突起の高さを、当該マグネットプラグの傾動が上記電極と接点凹所とのこじれによって規制されるより前に上記突起の傾斜面が上記プラグ受けの開口端部に当接し得る高さに設定し、上記マグネットプラグの傾動時に該傾斜面を上記プラグ受けの開口端部に当接させることを特徴とするマグネットプラグ。
【請求項２】
上記突起を、上記プラグケースの前端面に設けられる一対の接点凹所に対応して一対設けたことを特徴とする請求項１に記載のマグネットプラグ。
【請求項３】
上記プラグケースの前端面に設けられる接点凹所の開口部に環状突出部を設けることにより、該開口部から該接点凹所内の接点までの距離を所定の大きさに設定したことを特徴とする請求項１又は２のいずれかに記載のマグネットプラグ。
【請求項４】
上記プラグケースの前端面と、その上面とがつくる角部の両端部に位置決め部を形成したことを特徴とする請求項１から３のいずれかに記載のマグネットプラグ。
【発明の詳細な説明】
【０００１】
【発明の属する技術分野】
この発明は、電気ポット等の家電製品に用いられるマグネットプラグに関するものである。
【０００２】
【従来の技術】
電気ポット等の家電製品においては、電源コードを人が引っかけた際の家電製品の転倒その他の事故を未然に防ぐために、従来からマグネットプラグが用いられている。マグネットプラグは、一定以上の引っ張り力が電源コードに作用した場合に、引っ張り方向がマグネットプラグの吸着面に対して傾いているときは、マグネットプラグがその引っ張り方向に傾いて磁石の吸引力が弱まって外れる。また、吸着面に対し直角に引っ張り力が作用した場合は、マグネットプラグは傾くことなく、引っ張り力が磁石の吸着力を上回ったときに外れる。
【０００３】
上記のマグネットプラグは、プラグケースの前端面中央部に磁石により磁気を帯びた鉄片を取付け、その両側に設けた接点凹所の内底面に接点が設けられる。また、プラグ受けは、内部に鉄片を設け、その鉄片の両側に前記の接点凹所に対向した電極が突設される。
【０００４】
前記のように、マグネットプラグが傾いて外れる際は、接点凹所が深過ぎると、電極と接点凹所内面とのこじれが生じて外れ難くなる問題が生じ、また浅すぎると使用者の指先が接点に触れ易くなり安全性の点で問題が生じる。接点凹所の深さは、これらの点を考慮して適当な深さに設定されている。
【０００５】
ところが、近年上記のようなマグネットプラグにおいて、プラグの接点に指先が触れないようにするという電気的な安全面から、接点凹所の深さを一層深く形成したいという要求がある。その対策の一例として，この発明の実施形態を示した図１に見られるように、接点凹所４の開口の周りに環状突出部６を設けることが考えられている。この環状突出部６の高さ分だけ接点凹所４が深くなり、安全性が増大することになる。
【０００６】
【発明が解決しようとする課題】
上記のような環状突出部６を設けたマグネットプラグを用いると、図５に示すように、プラグ受け１２に差し込まれたマグネットプラグ１に上向きの引っ張り力が加わると、プラグ受け１２側の電極１６が、接点凹所４の内部と環状突出部６の内周に干渉し、いわゆるこじれを起こして、マグネットプラグ１の傾きが制限される。このため、プラグ受け側１２の鉄片１５とマグネットプラグ１側の磁石により磁気を帯びた鉄片３との吸着面の開きが十分大きくならないため、マグネットプラグ１が外れ難くなり、家電製品の転倒等の事態を引き起こす可能性がある。
【０００７】
そこで、この発明は、接点凹所４が深くなっても、角度をもった一定以上強い引っ張り力が作用すると確実に外れるようにしたマグネットプラグを提供することを課題とする。
【０００８】
【課題を解決するための手段】
上記の課題を解決するために、この発明に係るマグネットプラグは、プラグ受けに対し磁石の吸着力により着脱自在に保持されるプラグケースを有するマグネットプラグにおいて、上記プラグケースの外面に傾斜面を有する突起を設け、プラグ傾動時に該傾斜面を上記プラグ受けの開口端部に当接させるようにしたものである。
【０００９】
上記の構成によると、マグネットプラグに角度を持った一定以上に強い引っ張り力が作用すると、マグネットプラグが傾動し、電極と接点凹所とのこじれが生じるより先に、突起の傾斜面がプラグ受けの開口端部に当接し、その傾斜面に作用する水平外向き分力によりマグネットプラグに抜け方向の力が働く。この抜け方向の力が磁石の吸着力を上回るとマグネットプラグが磁石の吸着面から離れ、プラグ受けから外れる。
【００１０】
なお、上記突起の高さは、電極と接点凹所のこじれによりマグネットプラグの傾動が規制されより前に、該突起の傾斜面がプラグ受けの開口端部に当接し得る高さに設定されるものとする。
【００１１】
上記の突起は、マグネットプラグの上下左右の四面のうち、いずれか一面、又は任意の複数面に設ける構成を採用することができる。この構成によると、突起を設けた特定の一方向、または複数方向のうちの何れか一方向への引っ張り力の作用により、上記と同様にして確実にマグネットプラグを外すことができる。
【００１２】
また、上記突起を、上記プラグケースの前端面に設けられる一対の接点用凹所に対応して一対設けた構成を採用することができる。この構成によると、マグネットプラグは一対の突起に支持されるので姿勢が安定する。
【００１３】
さらに、上記プラグケースの前端面に設けられる接点凹所の開口部に環状突出部を設けることにより、該開口部から該接点凹所内の接点までの距離を所定の大きさに設定した構成を採用することができる。この構成によると、環状突出部の高さ分だけ接点凹所が深くなるが、電極とのこじれが生じるよりも前に、突起がプラグ受けに当接するため、マグネットプラグの外れ易さは確保される。
【００１４】
【発明の実施の形態】
以下、この発明の実施の形態を添付図面に基づいて説明する。図１に示すように、第１実施形態のマグネットプラグ１は、電気ポット用のものであり、プラグケース２の前面中央部に一対の磁石により磁気を帯びた鉄片３、３が露出し、その鉄片３、３の両側に接点凹所４、４が設けられる。各接点凹所４、４の内底面にばね性ある接点５、５が設けられ、また、接点凹所４、４の開口部に環状突出部６、６が設けられる。この環状突出部６、６の突出高さは、上記の鉄片３、３より若干前方へ突出す程度である（同図（ｄ）参照）。
【００１５】
上記のマグネットケース２の前面と上面とがつくる角部の両端部に位置決め部としての斜面７、７が形成される。また、マグネットケース２の上面において、上記斜面７の後方に、各接点凹所４、４に対応して一対の三角形の突起８、８が形成される。各突起８は、その前面に一定の傾斜角を有する傾斜面８ａ、８ａが形成され、使用状態において（図３（ａ）参照）、その傾斜面８ａ、８ａがプラグ受け１２の開口端部内周に対し若干のすき間をもって対向する位置と高さに形成される。
【００１６】
その他、プラグケース２の後端部には、絶縁ブッシュ９を介して電源コード１１が挿入され、内部において、各接点凹所４、４内の接点５、５と接続される。
【００１７】
プラグ受け１２は、図２、図３に示すように、ポット本体１３の下部に設けられる。このプラグ受け１２は、四角形の枠部１４の内部に鉄片１５が設けられ、その鉄片１５の両側に電極１６、１６が突設される。枠部１４の内面は、開口端に近い部分が外広がりのテーパー面１７となるよう形成される。上記の枠部１４の上面と両側面とがつくるコーナー部に、マグネットプラグ１の位置決め用斜面７、７と合致する位置決め嵌合部としての傾斜リブ１８、１８が設けられる。
【００１８】
上記のプラグ受け１２に前記のマグネットプラグ１を、傾斜リブ１８、１８と前記の斜面７、７を沿わせて差込み、プラグ受け１２の電極１６、１６をマグネットプラグ１の接点凹所４、４に挿入し、その内部で接点５、５に接触させる。これにより導通状態となる。マグネットプラグ１は、その鉄片３、３がプラグ受け１２側の鉄片１５に吸着され保持される。
【００１９】
いま、何らの原因で電源コード１１に上向きの引っ張り力が作用し、マグネットプラグ１が、図３（ｂ）に示すように、上方に傾動したとすると、各突起８の傾斜面８ａがプラグ受け１２の開口端内周に当接する。このときの傾き角は小さいので、電極１６と接点凹所４内面、電極１６と環状突出部６とのこじれは生じない。言い換えれば、これらの部分におけるこじれが生じて傾動が規制されるより前に、傾斜面８ａがプラグ受け１２の開口端部内周に当たるように、各突起８の高さが設定される。
【００２０】
上記のように、傾斜面８ａがプラグ受け１２の開口端部内周に当たった状態においては、鉄片１５と鉄片３との吸着面は角度をもって開かれるが、角度が小さいので吸着力の方が大きい。このためマグネットプラグ１が外れるまでには至らない。さらに、電源コード１１からの引っ張り力により傾斜面８ａに抗力Ｐ0 が作用し、その外向きの水平分力Ｐ2 が上記の吸着力を上回ることにより、両者の吸着面が引き離される。実際は、電源コード１１に作用する引っ張り力には水平外向き成分もあるので、前記の水平分力Ｐ2 にこの力も加わり、図４に示すように、マグネットプラグ１はプラグケース１２から外れる。
【００２１】
なお、電源コード１に作用する引っ張り力が鉄片１５の吸着面に垂直であって角度をもたない場合は、従来どおり、直接その吸着面で分離される。
【００２２】
【発明の効果】
以上のように、この発明によれば、プラグケースの外面に傾斜面を有する突起を設け、プラグ傾動時に該傾斜面を上記プラグ受けの開口端部に当接させることにより、接点凹所が深くなっても電源コードに作用する角度をもった引っ張り力によりマグネットプラグを簡単確実にプラグ受けから外すことができ、電気ポット等の転倒事故を未然に防ぐことができる。
【図面の簡単な説明】
【図１】（ａ）マグネットプラグの実施形態の正面図
（ｂ）同上の側面図
（ｃ）同上の斜視図
（ｄ）同上の横断平面図
【図２】プラグ受けの実施形態の正面図
【図３】（ａ）使用状態の断面図
（ｂ）同上のマグネットプラグ傾動時の断面図
【図４】マグネットプラグの分離状態の断面図
【図５】従来例のマグネットプラグの使用状態の断面図
【符号の説明】
１  マグネットプラグ
２  プラグケース
３  鉄片
４  接点凹所
５  接点
６  環状突出部
７  斜面
８  突起
８ａ  傾斜面
９  絶縁ブッシュ
１１  電源コード
１２  プラグ受け
１３  ポット本体
１４  枠部
１５  鉄片
１６  電極
１７  テーパー面
１８  傾斜リブ
【図１】
0003710695.tif 000002
【図２】
0003710695.tif 000003
【図３】
0003710695.tif 000004
【図４】
0003710695.tif 000005
【図５】
0003710695.tif 000006